(57)【要約】  【課題】実際に衣服を試着してもらうことなく、不特定多数の人物に対し、自らの提供する衣服の静粛性をアピールすることができる衣服のプレゼンテーションを実施する。  【解決手段】特定動作状態を表す動作画像を表示するとともに、外部からの入力指示に応じて、静粛性をアピールしたい特定衣服を少なくとも含む複数の衣服を着用して特定動作を行なった場合それぞれの、特定動作の最中に衣服から発生する動作音をそれぞれ出力する。この際、動作音は、人間の頭部を模したダミーヘッドの、人間の左右の耳に対応する耳部分それぞれに設置された音情報取得手段によってステレオ録音し、ステレオ再生手段によってステレオ再生することで出力する。【選択図】図３
2006307385.tif 000002
【特許請求の範囲】
【請求項１】
衣服の性能を提示するためのプレゼンテーションシステムであって、
衣服を着用して行う所定動作の動作状態を表す動作画像の画像情報、および、それぞれ異なる複数の衣服をそれぞれ着用して前記所定動作を行なった場合それぞれにおいて、各衣服から発生するそれぞれ異なる複数の動作音の音情報をそれぞれ記憶しておく記憶手段と、
前記記憶手段に記憶された前記画像情報の動作画像を表示する動作画像表示手段と、
外部からの入力指示に応じ、前記記憶手段に記憶された複数の前記音情報の動作音をそれぞれ出力する動作音出力手段とを有し、
前記記憶手段に記憶される複数の音情報は、それぞれ、人間の頭部を模したダミーヘッドの、人間の左右の耳に対応する耳部分それぞれに設置された一対の音情報取得手段によって取得されたステレオ音声情報であり、
前記動作音出力手段は、前記動作画像表示手段において前記動作画像が表示されている状態で、外部からの入力指示に応じて各動作音をそれぞれステレオ出力することで、各衣服の前記所定動作における静粛性を提示することを特徴とするプレゼンテーションシステム。
【請求項２】
前記動作音出力手段は、ヘッドホンまたはイヤホンを備えたステレオ音声再生手段であることを特徴とする、請求項１記載のプレゼンテーションシステム。
【請求項３】
前記動作音出力手段は、ヘッドホンまたはイヤホンを複数備え、ヘッドホンまたはイヤホンを装着した複数の人物それぞれに対し、前記動作音を同時に出力することを特徴とする請求項２記載のプレゼンテーションシステム。
【請求項４】
前記衣服は撥水加工が施されたレインウェアであり、前記所定動作はゴルフスウィング動作であることを特徴とする、請求項１〜３のいずれか１項に記載のプレゼンテーションシステム。
【請求項５】
前記所定動作は、前記ゴルフスウィング動作および歩行動作であることを特徴とする請求項４項に記載のプレゼンテーションシステム。
【請求項６】
衣服の性能を提示する、衣服のプレゼンテーション方法であって、
衣服を着用して行う所定動作の動作状態を表す動作画像の画像情報、および、それぞれ異なる複数の衣服をそれぞれ着用して前記所定動作を行なった場合それぞれにおいて、各衣服から発生するそれぞれ異なる複数の動作音の音情報をそれぞれ記憶する記憶ステップと、
前記記憶ステップで記憶した前記画像情報の動作画像を表示するとともに、外部からの入力指示に応じ、前記記憶ステップで記憶された複数の前記音情報の動作音をそれぞれ出力する出力ステップとを有し、
前記記憶ステップで記憶される複数の音情報は、それぞれ、人間の頭部を模したダミーヘッドの、人間の左右の耳に対応する耳部分それぞれに設置された一対の音情報取得手段によって取得されたステレオ音声情報であり、
前記出力ステップは、前記動作画像が表示されている状態で、外部からの入力指示に応じて各動作音をそれぞれステレオ出力することで、各衣服の前記所定動作における静粛性を提示することを特徴とする衣服のプレゼンテーション方法。
【発明の詳細な説明】
【技術分野】
【０００１】
本発明は、プレゼンテーションシステム、および衣服のプレゼンテーション方法に関し、特に、静粛性を必要とする動作状態において着用される衣服について、この衣服を着用した場合の上記動作状態における静粛性を不特定多数の人物に提示するプレゼンテーションシステム、および衣服のプレゼンテーション方法に関する。
【背景技術】
【０００２】
衣服を購入する際、特にスポーツ用のウェアなどにおいては、着用者の動作時に発生する音の大きさ（静粛性）も選定の基準となる。例えば、ゴルフのパッティングにおいては精神の集中が必要であるが、パッティング動作において衣服から発生する音が大きければ、この音によって精神の集中が乱される場合もある。ゴルフ用のウェアとしては、パッティング動作やスウィング動作時に発生する音がなるべく小さいことが望まれる。
衣服の中でも、レインウェアは衣服の繊維や布地に撥水加工が施されており、着用者が動作した際に発生する衣服のこすれ音が比較的大きい。スポーツ用ウェアのメーカーは、この動作時のこすれ音がなるべく小さくなるような特性のレインウェアを競って開発して上市している。
【０００３】
購入者が、購入する衣服を選択する際、着用者が動作した際に発生する音の大きさについては、デザインや重量などと異なり、衣服を手に取って確認しただけでは、衣服の購入者が直感的に特性を把握することはできない。複数の衣服をそれぞれ試着し、それぞれの衣服を着用した状態で実際に動作を行えば、動作時の音の大きさを体感することは可能ではあるが、複数のウェアを試着することは面倒な作業であり、購入者は実際に複数の衣服を試着してまでも、衣服の動作時の音を比較しない場合も多い。
【０００４】
従来では、スポーツ用ウェアのメーカーや販売店は、購入者に衣服の静粛性を直感的に理解させることができるよう、動作時に衣服から発生した音（動作音）の情報を取得してこの動作音情報を分析し、分析結果をグラフや数値として購入者に提示している。これにより、自らの提供する衣服の静粛性を購入者にアピールしている。例えば、動作音情報を分析して動作音の騒音レベル値を提示したり、この動作音の耳障りの悪さを表す高周波成分の大きさを表すための周波数分析グラフを提示したりしている。
【発明の開示】
【発明が解決しようとする課題】
【０００５】
しかし、このような分析結果を提示するのみでは、購入者に、衣服を着用した状態での動作時の静粛性を直感的に理解させることができず、自らの提供する衣服の静粛性の特性をアピールすることができない。
【０００６】
そこで、本発明は、特定衣服を着用して特定動作を行なった際に、この特定衣服の着用者が感じる静粛性を、不特定多数の人物に直感的に提示することを可能とするプレゼンテーションシステム、および衣服のプレゼンテーション方法を提供することを目的とする。
【課題を解決するための手段】
【０００７】
上記課題を解決するために、本発明は、衣服の性能を提示するためのプレゼンテーションシステムであって、衣服を着用して行う所定動作の動作状態を表す動作画像の画像情報、および、それぞれ異なる複数の衣服をそれぞれ着用して前記所定動作を行なった場合それぞれにおいて、各衣服から発生するそれぞれ異なる複数の動作音の音情報をそれぞれ記憶しておく記憶手段と、前記記憶手段に記憶された前記画像情報の動作画像を表示する動作画像表示手段と、外部からの入力指示に応じ、前記記憶手段に記憶された複数の前記音情報の動作音をそれぞれ出力する動作音出力手段とを有し、前記記憶手段に記憶される複数の音情報は、それぞれ、人間の頭部を模したダミーヘッドの、人間の左右の耳に対応する耳部分それぞれに設置された一対の音情報取得手段によって取得されたステレオ音声情報であり、前記動作音出力手段は、前記動作画像表示手段において前記動作画像が表示されている状態で、外部からの入力指示に応じて各動作音をそれぞれステレオ出力することで、各衣服の前記所定動作における静粛性を提示することを特徴とするプレゼンテーションシステムを提供する。
【０００８】
なお、前記動作音出力手段は、ヘッドホンまたはイヤホンを備えたステレオ音声再生手段であることことが好ましい。また、前記動作音出力手段は、ヘッドホンまたはイヤホンを複数備え、ヘッドホンまたはイヤホンを装着した複数の人物それぞれに対し、前記動作音を同時に出力することが好ましい。
【０００９】
なお、前記衣服は撥水加工が施されたレインウェアであり、前記所定動作はゴルフスウィング動作であることが好ましい。また、前記所定動作は、前記ゴルフスウィング動作および歩行動作であることがさらに好ましい。
【００１０】
なお、本発明は、衣服の性能を提示する、衣服のプレゼンテーション方法であって、衣服を着用して行う所定動作の動作状態を表す動作画像の画像情報、および、それぞれ異なる複数の衣服をそれぞれ着用して前記所定動作を行なった場合それぞれにおいて、各衣服から発生するそれぞれ異なる複数の動作音の音情報をそれぞれ記憶する記憶ステップと、前記記憶ステップで記憶した前記画像情報の動作画像を表示するとともに、外部からの入力指示に応じ、前記記憶ステップで記憶された複数の前記音情報の動作音をそれぞれ出力する出力ステップとを有し、前記記憶ステップで記憶される複数の音情報は、それぞれ、人間の頭部を模したダミーヘッドの、人間の左右の耳に対応する耳部分それぞれに設置された一対の音情報取得手段によって取得されたステレオ音声情報であり、前記出力ステップは、前記動作画像が表示されている状態で、外部からの入力指示に応じて各動作音をそれぞれステレオ出力することで、各衣服の前記所定動作における静粛性を提示することを特徴とする衣服のプレゼンテーション方法も、併せて提供する。
【発明の効果】
【００１１】
本件発明によれば、実際に衣服を試着してもらうことなく、不特定多数の人物に対し、自らの提供する衣服の静粛性をアピールすることができる。
【発明を実施するための最良の形態】
【００１２】
本発明のプレゼンテーションシステム、および、衣服のプレゼンテーション方法について、以下詳細に説明する。
図１は、本発明のプレゼンテーションシステムの一例である、撥水加工処理が施されたゴルフ用レインウェア（ウェア）のプレゼンテーションを実施する、プレゼンテーションシステム１０（システム１０とする）について説明する概略構成図である。システム１０は、特定のゴルフ用レインウェア（以降、特定ウェアとする）について、この特定ウェアを着用して実施するゴルフスウィング動作時において発生する動作音の静粛性（すなわち、ゴルフスウィング動作において発生する動作音の小ささ）を、ウェアメーカーなどの提示者（プレゼンテーションを実施する側）が、販売業者や一般購入者などの不特定多数の被提示者（プレゼンテーションを受ける側）にアピールするために実施するプレゼンテーションにおいて用いられるシステムである。例えば、展示会や販売店の店頭など、不特定多数の人物（被提示者）が往来する場所に設置され、不特定多数の被提示者に衣服の静粛性をアピールするためのプレゼンテーションを実施する。
【００１３】
システム１０は、外部からの指示入力を受け付けるためのキーボード２１が備えられた本体部２２、および表示手段であるディスプレイ２４を備えるノート型パーソナルコンピュータ２０（以降、ＰＣ２０とする）と、ＰＣ２０から出力される後述のデジタル音声データの出力を増幅するデジタルアンプ２８と、デジタルアンプ２８に接続された複数のヘッドホン３０とを有して構成される。ＰＣ２０の本体部２２には、図示しない記憶手段（メモリ）およびＣＰＵが備えられており、かつ、本体部２２には、外部からの指示入力を受け付けるためのマウス２６とが接続されている。
【００１４】
ＰＣ２０の本体部２２は、例えば、ＵＳＢポートなどの外部インターフェースを介して外部から入力される動作画像情報を取得して図示しないメモリに記憶する。ここで、動作画像情報とは、プレゼンテーション対象である特定ウェアを着用して、ゴルフスウィング動作および歩行動作の２つの特定動作を行なっている最中の、各動作状態を表す画像の画像情報である。また、同じく外部から入力される、複数の動作音情報もそれぞれ取得し、図示しないメモリに記憶する。複数の動作音情報それぞれは、プレゼンテーション対象である特定ウェアを少なくとも含む、複数のウェアそれぞれを着用して各特定動作を行なった場合それぞれの、特定動作の最中にウェアから発生する音の音情報である。ＰＣ２０は、キーボード２１やマウス２６から入力された外部からの指示に応じ、メモリに記憶された後述のプレゼンテーション実施プログラムデータ（実施プログラムデータ）を図示しないＣＰＵが実行することで、上記画像情報の画像をディスプレイ２４に表示するとともに、外部からの操作指示に応じた所定のタイミングで、記憶しておいた上記複数の動作音情報のデジタルデータ（動作音デジタルデータ）をデジタルアンプ２８にそれぞれ出力する。
【００１５】
ＰＣ２０の本体部２２には、予め、外部からの操作指示に応じた所定のタイミングで、ＰＣ２０のディスプレイ２４に所定の画像データを表示させたり、所定の音声データを出力させるための実施プログラムデータを実行するための、実施プログラムデータ実行機能を備えるソフトウェアが記憶されている。ＰＣ２０は、このソフトウェアを実行することで、ＰＣ２０のディスプレイ２４に動作画像情報の画像を表示するとともに、外部からの操作指示に応じた所定のタイミングで動作音情報を出力する。なお、上記ソフトウェアは、上記実施プログラムデータの実行機能に加え、この実施プログラムデータを作成するための、プログラムデータ作成機能を備えており、ＰＣ２０は、このソフトウェアを実行することで、オペレータの指示入力に応じて、所望の実施プログラムデータを作成する。ＰＣ２０は、ノート型ＰＣであることに限定されず、デスクトップ型ＰＣなどであってもよいが、なるべく多数の被提示者にプレゼンテーションを実施するには、展示会や販売店などにおいて容易に移動可能であることが好ましく、ＰＣ２０はノート型パーソナルコンピュータであることが好ましい。
【００１６】
ＰＣ２０に、このような動作画像情報、および動作音情報が記憶され、かつプレゼンテーション実施プログラムデータが作成されて記憶されている状態で、システム１０が、展示会や販売店などに設置され、プレゼンテーションを実施する。プレゼンテーション実施の際、被提示者はヘッドホン３０を装着する（提示者は、被提示者にヘッドホン３０を装着してもらう）。
【００１７】
デジタルアンプ２８は、ＰＣ２０から出力された動作音デジタルデータを増幅して出力する。デジタルアンプ２８は、複数の出力ポートを備えており、この複数の出力ポートを介して接続された複数のヘッドホン３０に、それぞれ同時に上記動作音情報を出力する。後述するように、上記動作音情報はステレオ音声データであり、ヘッドホン３０は、上記動作音情報のステレオ音声データをステレオ再生する。
システム１０は、このように、各特定動作状態を表す画像をディスプレイ２４に表示するとともに、複数のウェアを着用して各特定動作を行なった場合それぞれの、特定動作の最中にウェアから発生する動作音情報それぞれをヘッドホン３０より出力する。これにより、ヘッドホンを装着した被提示者それぞれに、ディスプレイ２４の画像を提示しつつ、ヘッドホンから出力される音情報を聞いてもらうことができる。これにより、複数のウェアそれぞれを着用してそれぞれの動作状態を行なった際、どのような音が発生するかを、複数の被提示者それぞれに直感的に把握させることを可能としている。システム１０の動作については後に詳述する。
【００１８】
図２は、システム１０のＰＣ２０が記憶する動作音情報および動作画像情報の取得方法について説明する図である。ＰＣ２０が取得して記憶する動作音情報は、上述のように、静粛性をアピールする特定ウェアを少なくとも含む、複数のウェアを着用して特定動作を行なった場合それぞれの、特定動作の最中に衣服から発生する動作音の情報である。この動作音情報は、無響室内において、動作者４０が複数のウェアそれぞれを着用して特定動作を実施した際に発生するそれぞれの音情報を、バイノーラル録音システム５０によって録音することで取得されたデータである。すなわち、動作音情報とは、無響室内において、動作者４０が複数のウェアを順次着用し、各ウェアを着用した状態それぞれにおいて、ゴルフスウィング動作および歩行動作の２つの特定動作を実施した際の動作音情報それぞれを、バイノーラル録音システム５０によって録音して得られたデータである。ここで無響室とは、壁，天井，床を吸音率が1に近い吸音材で内張りして、音波の反射をほとんどなくした、音響測定に使用される一般的な無響室である。
【００１９】
バイノーラル録音システム５０は、人間の頭部を模したダミーヘッド５２の、外耳道入口部分に対応する箇所に騒音マイク５４が備えられて構成されている。騒音マイク５４は、無響室内において動作者４０が特定動作を実施した際に発生する動作音の音波情報（音圧の変化）を受けて電気信号に変える公知の騒音マイクである。ここで、動作音は、特定動作において衣服がこすれ合うことで発生する音の成分がほとんどである。バイノーラル録音システム５０では、このように、人間の頭部を模したダミーヘッド５２の外耳道入口部分にマイクをセットすることにより、任意の人物の頭部がこのダミーヘッド５２と同じ位置に位置した際に、この人物の外耳道入口部分に到達する音情報と同様の音情報を、騒音マイク５４が受けることを可能としている。これにより、騒音マイク５４によって、任意の人物の頭部がこのダミーヘッド５２と同じ位置に位置した際に、この人物が聞く特定動作音情報とほぼ同じ音情報を表す電気信号を取得することができる。バイノーラル録音システム５０では、ダミーヘッド５２の左右の耳に対応する部分それぞれに、騒音マイク５４が設けられており、各マイクそれぞれにおいて音情報を取得する（ステレオ録音する）。
【００２０】
騒音マイク５４で取得された音情報の電気信号は、マイクロフォンアンプ５６に送られる。マイクロフォンアンプ５６は、騒音マイク５４で取得された音波情報の電気信号を増幅してＰＣ２０の本体部２２に送る。ＰＣ２０の本体部２２は、バイノーラル録音システム５０の騒音マイク５４で得られた電気信号をサンプリング（サンプリング周波数３０ｋＨｚ〜１００ｋＨｚ）して取り込み、得られた振動波形のデータを動作音情報として上述の図示しない記憶手段に記憶する。なお、ＰＣ２０の本体部２２において記憶されるこの動作音情報は、マイクロフォンアンプ５６にＰＣ２０が直接接続されて、ＰＣ２０が取得することに限定されない。例えば、マイクロフォンアンプ５６と、プレゼンテーションを実施するＰＣ２０以外の他のＰＣとを接続し、この他のＰＣに動作音情報を記憶しておき、この他のＰＣから改めてプレゼンテーション実施するＰＣ２０に動作音情報を送ることで、ＰＣ２０が動作音情報を取得して記憶してもよい。また、リムーバルディスクなどの所定の記憶媒体に動作音情報を記憶し、ＰＣ２０が、この記憶媒体から動作音情報を受け取ってもよい。ＰＣ２０が動作音情報を取得する手段は、特に限定されない。
【００２１】
ＰＣ２０が取得して記憶する動作画像情報は、上述のように、プレゼンテーション対象である特定ウェアを着用して、ゴルフスウィング動作および歩行動作の２つの特定動作を行なっている最中の、各動作状態を表す画像の画像情報である。このような画像情報は、動作者４０が無響室内で特定ウェアを着用して特定動作を実施している際中に、少なくともこの動作者４０が撮影範囲に入るよう、デジタルスチルカメラ５８（ＤＳＣ５８）で撮影することで取得される静止画像データである。ＤＳＣ５８は、例えば、ＵＳＢケーブルなどでＰＣ２０の本体部２２と接続されて、ＤＳＣ５８によって撮影した画像の画像情報（動作画像情報）を本体部２２に送る。本体部２２は、受け取った動作画像情報を図示しないメモリに記憶する。
なお、ＰＣ２０の本体部２２において記憶されるこの動作画像情報は、ＤＳＣ５８にＰＣ２０が直接接続されて、ＰＣ２０が取得することに限定されない。例えばＤＳＣ５８と、プレゼンテーションを実施するＰＣ２０以外の他のＰＣとを接続し、この他のＰＣに動作画像情報を記憶しておき、この他のＰＣから改めてプレゼンテーション実施するＰＣ２０に動作画像情報を送ることで、ＰＣ２０が動作画像情報を取得して記憶してもよい。また、リムーバルディスクなどの所定の記憶媒体に動作画像情報を記憶し、ＰＣ２０が、この記憶媒体から動作画像情報を受け取ってもよい。ＰＣ２０が動作画像情報を取得する手段は、特に限定されない。
【００２２】
以下、このようなシステム１０において実施される、特定ウェアを着用して実施するゴルフスウィング動作時および歩行時における動作音の静粛性（すなわち、ゴルフスウィング動作および歩行において発生する動作音の小ささ）をアピールするための、衣服のプレゼンテーション方法について詳述する。以下、特定ウェアであるレインウェアＡの静粛性をアピールするために、このレインウェアＡの静粛性と、レインウェアＢ、レインウェアＣ、レインウェアＤの３種類のレインウェアの静粛性との相違を、不特定多数の人物（被提示者）に提示する場合を例に説明する。
【００２３】
まず、上述のように、動作者４０がレインウェアＡ〜Ｄそれぞれのレインウェアを着用して、無響室内でゴルフスウィング動作および歩行動作を行なった各場合それぞれについて、各場合それぞれの動作音情報および動作画像情報が取得されて、ＰＣ２０の本体部２２の図示しないメモリに記憶される。ＰＣ２０は、上記ソフトウェアのプログラムデータ作成機能を実行することで、オペレータの指示入力に応じて、所望のプレゼンテーション実施プログラムデータを作成する。そして、ＰＣ２０が、この実施プログラムデータを実行することで、ＰＣ２０のディスプレイ２４に動作画像情報の画像を表示するとともに、外部からの操作指示に応じた所定のタイミングで動作音情報を出力する。
【００２４】
図３は、ＰＣ２０において実施プログラムデータを実行した際に、ディスプレイ２４に表示される表示画面の一例について示す図である。ディスプレイ２４には、動作画像情報の画像である、画像６２および画像６４が表示されている。画像６２は、特定ウェアであるレインウェアＡを着用した動作者４０が、ゴルフスウィング動作を実施した際の動作画像情報の画像、すなわち、無響室内で動作者４０がゴルフスウィング動作を実施した様子を、ＤＳＣ５８で撮影することによって得られた画像データの画像である。また、画像６４は、特定ウェアであるレインウェアＡを着用した動作者４０が歩行動作を実施した際の動作画像情報の画像、すなわち、無響室内で動作者４０が歩行動作を実施した様子を、ＤＳＣ５８で撮影することによって得られた画像データの画像である。画像６２および画像６４には、それぞれ、動作者４０およびダミーヘッド５２が表示されている。
【００２５】
ディスプレイ２４の表示画面には、表７４が表示されている。この表７４には、各動作状態を表す複数の文字画像と、複数のアイコンとがマトリクス状に配置されて、各文字画像に対応して各アイコンが表示されている。すなわち、スウィング動作状態を表す「スウィング」なる文字画像に対応付けられてアイコン６８a〜６８ｄが設けられ、また、歩行状態を表す「歩行」なる文字画像に対応付けられてアイコン７２ａ〜７２ｄが設けられている。また、アイコン６８ａ〜６８ｄは、各レインウェアＡ〜レインウェアＤそれぞれのサンプル名の文字画像とも、それぞれ対応付けられて配置されている。また、アイコン７２ａ〜７２ｄも、各レインウェアＡ〜レインウェアＤそれぞれのサンプル名の文字画像とも、それぞれ対応付けられて配置されている。各アイコンは、それぞれ対応付けられたサンプル名の、対応付けられた動作状態における動作音情報と関連付けられている。ＰＣ２０は、オペレータが、マウス２６やキーボード２１を操作して各アイコンを選択することで、選択されたアイコンに関連付けられた動作音情報を、デジタルアンプ２８を介して複数のヘッドホン３０に同時に出力する。各アイコンの選択は、ディスプレイ２４の画面を見ながらオペレータがＰＣ２０を操作して行なう指示（いわゆるＧＵＩ《ｇｒａｐｈｉｃａｌ  ｕｓｅｒ  ｉｎｔｅｒｆａｃｅ》）に応じて行われる。
【００２６】
例えば、アイコン６８ａが選択されると、ＰＣ２０は、動作者４０がレインウェアＡを着用してスウィング動作を実施した際の動作音情報をヘッドホン３０に出力する。また、例えば、アイコン７２ｄが選択されると、ＰＣ２０は、動作者４０がレインウェアＤを着用して歩行動作を実施した際の動作音情報を、ヘッドホン３０に出力する。このように、各アイコンを選択することで、ヘッドホン３０を装着した人物に、レインウェアＡ〜レインウェアＤそれぞれを着用した際の動作音をそれぞれ聞かせることができる。ヘッドホン３０を装着した人物は、複数のレインウェアを着用した場合の動作音それぞれを、それぞれ相対比較することができる。
【００２７】
ヘッドホン３０からは動作音がステレオ出力される。このように、アイコンに応じた動作音がヘッドホンからステレオ出力されることで、ヘッドホンを装着した人物には、自分の頭部が、動作音を取得した際のダミーヘッド５２の位置と略一致する位置にあった場合に聞こえる動作音と略同等の音を聞くことができる。そして、ディスプレイ２４には、各動作音情報が取得された際の動作者の動作状態を表す画像が表示されており、ヘッドホン３０を装着した人物は、自分が今聞いた音がどのような動作状態における音であるかを直感的に理解することができる。さらに、ディスプレイ２４に表示された各動作状態を表す動作状態画像６２および６４それぞれには、動作者４０およびダミーヘッド５２の双方が映っている。ヘッドホンを装着した人物がこの画像を見ることで、自分の現在聞いている音が、被験者の動作位置（すなわち動作音が発生した位置）とどのような位置関係において聞こえる音であるかについても、直感的に把握することができる。
このように、スウィング動作を実施した際の実際の動作音を、被提示者に聞いてもらうことで、周波数分析などで数値として得られる分析結果では直感的に把握することが困難な、各ウェアを着用した際に感じる音質を直感的に把握することができる。これにより、数値として定量的に表すことが困難である、「動作の際に感じるうるささ」など、動作音のもつ官能的な特性などを被提示者に容易に理解してもらうことができる。
ここで、ＰＣ２０を操作してアイコンを選択するオペレータについては、特に限定されず、プレゼンテーションを実施して、特定ウェアの静粛性をアピールする提示者（プレゼンテーションを実施する側）であってもよく、また、アピールされる被提示者（プレゼンテーションを受ける側）のいずれの人物であってもよい。
【００２８】
また、ディスプレイ２４には、動作画像情報の画像である画像６２および画像６４に加え、レインウェアＡ〜レインウェアＤそれぞれの生地を用いて、こすれ音試験を実施して得られた、こすれ音の音情報を周波数分析して得られたスペクトル波形のグラフ６８と、こすれ音試験を実施している状態を撮影した試験状態画像６６も表示される。このように、スペクトル波形のグラフ６８が表示されていることで、このグラフ６８を見た人物が、各ウェアそれぞれから発生する音の大きさや音質を、定性的かつ定量的に把握することができる。また、このグラフ６８とともに、試験状態画像６６も表示することで、グラフ６８で周波数分析された音情報がどのような試験状態で取得された音情報かを把握することも可能となっている。
【００２９】
なお、上記実施形態では、ＰＣ２０を展示会や販売店の店頭に設置し、プレゼンテーションを実施している。しかし、本発明のプレゼンテーション方法は、このような実施形態に限定されない。例えば、インターネットに接続されたサーバ内に、動作画像情報、動作音情報、プレゼンテーション実施プログラムを記憶しておき、インターネットを介してこのサーバにアクセスしてきた、被提示者が操作する端末（ＰＣ）において実施プログラムが実行されることで、被提示者に対するプレゼンテーションが実施されてもよい。本発明によれば、提示者は、このようにインターネットを介して、不特定多数の人物に特定ウェアの静粛性をアピールすることもできる。
【００３０】
以上、特定のゴルフ用レインウェアの静粛性をアピールするためのプレゼンテーション方法について説明したが、本発明の衣服のプレゼンテーション方法で静粛性をアピールする衣服（ウェア）は、特に限定されない。本発明の衣服のプレゼンテーション方法は、特定動作において高度な静粛性を必要とする用途に着用される衣服について、不特定多数の人物に静粛性をアピールする際に特に好適に利用される。
【００３１】
以上、本発明のプレゼンテーションシステムおよび衣服のプレゼンテーション方法について詳細に説明したが、本発明は上記実施例には限定はされず、本発明の要旨を逸脱しない範囲において、各種の改良および変更を行ってもよいのはもちろんである。 
【図面の簡単な説明】
【００３２】
【図１】本発明のプレゼンテーションシステムの一例について説明する概略構成図である。
【図２】本発明の衣服のプレゼンテーション方法で用いられる動作音情報および動作画像情報の、取得方法について説明する図である。
【図３】本発明の衣服のプレゼンテーション方法を実行した際に、ディスプレイに表示される表示画面の一例を示す図である。
【符号の説明】
【００３３】
１０  プレゼンテーションシステム
２０  ノート型パーソナルコンピュータ
２１  キーボード
２２  本体部
２４  ディスプレイ
２６  マウス
２８  デジタルアンプ
３０  ヘッドホン
４０  動作者
５０  バイノーラル録音システム
５２  ダミーヘッド
５４  騒音マイク
５６  マイクロフォンアンプ
５８  デジタルスチルカメラ
６２、６４  画像
６６  試験状態画像
６７  グラフ
６８ａ〜６８ｄ、７２ａ〜７２ｄ  アイコン
７４  表
【図１】
2006307385.tif 000003
【図２】
2006307385.tif 000004
【図３】
2006307385.tif 000005